(57)【特許請求の範囲】
【請求項１】
光ファイバ回線を介して他のメディアコンバータと相互に接続されるメディアコンバータ（１０）であって、
前記光ファイバ回線から入力される光信号の受光レベルを検出する光レベル検出手段と、
前記検出された受光レベルと受光レベル良否判定用の受光レベル下限値とを比較して、前記検出された受光レベルが受光レベル良否判定用の受光レベル下限値以上であれば受光レベルは良好であると判定し、前記検出された受光レベルが前記受光レベル良否判定用の受光レベル下限値未満であれば受光レベルは不良であると判定する受光レベル良否判定手段（１８）と、
前記光ファイバ回線側の光リンクの良否を判定する制御手段（１９）と、
該制御手段および前記受光レベル良否判定手段における判定結果と前記他のメディアコンバータから前記光ファイバ回線を介して送信されてくる光リンク良否通知信号によって示される該他のメディアコンバータにおける光リンクの良否とに基づいて前記光ファイバ回線、前記他のメディアコンバータおよび前記メディアコンバータのいずれにおいて障害が発生したかを判定し、該判定の結果を視覚的または聴覚的に障害発生表示手段（２１）に表示させる障害発生判定手段（２０）とを具備し、
前記障害発生判定手段が前記光ファイバ回線、前記他のメディアコンバータおよび前記メディアコンバータのいずれにおいて障害が発生したかを判定できるように、前記受光レベル良否判定用の受光レベル下限値が、前記メディアコンバータにおける受光レベルの上限値から該メディアコンバータにおける光リンクの下限値である受光レベルの下限値を引いた該メディアコンバータの受光範囲の所定の割合の値だけ、該メディアコンバータにおける該受光レベルの下限値よりも大きい値に設定されている、
ことを特徴とする、メディアコンバータ。
【請求項２】
局舎側メディアコンバータ（３１）と、該局舎側メディアコンバータと光ファイバ回線を介して相互に接続された宅内側メディアコンバータ（３２）とを具備する障害発生表示システム（３０）であって、
前記宅内側メディアコンバータが、請求項１記載のメディアコンバータを使用して構成されている、
ことを特徴とする、障害発生表示システム。
【請求項３】
局舎側メディアコンバータ（５１）と、該局舎側メディアコンバータと光ファイバ回線を介して相互に接続された宅内側メディアコンバータ（５２）とを具備する障害発生表示システム（５０）であって、
前記局舎側メディアコンバータが、
前記光ファイバ回線から入力される光信号の受光レベルを検出する光レベル検出手段（１１６）と、
前記光レベル検出手段によって検出された受光レベルと受光レベル良否判定用の受光レベル下限値とを比較して、前記光レベル検出手段によって検出された受光レベルが受光レベル良否判定用の受光レベル下限値以上であれば受光レベルは良好であると判定し、前記光レベル検出手段によって検出された受光レベルが前記受光レベル良否判定用の受光レベル下限値未満であれば受光レベルは不良であると判定する受光レベル良否判定手段（１１８）と、
前記光ファイバ回線側の光リンクの良否を判定する制御手段（１１９）と、
該制御手段および前記受光レベル良否判定手段における判定結果を表わす判定結果データを前記宅内側メディアコンバータに送信する障害発生判定手段（１２０）とを備え、
前記宅内側メディアコンバータが、
前記光ファイバ回線から入力される光信号の受光レベルを検出する他の光レベル検出手段（１６）と、
前記他の光レベル検出手段によって検出された受光レベルと前記受光レベル良否判定用の受光レベル下限値とを比較して、前記他の光レベル検出手段によって検出された受光レベルが前記受光レベル良否判定用の受光レベル下限値以上であれば受光レベルは良好であると判定し、前記他の光レベル検出手段によって検出された受光レベルが前記受光レベル良否判定用の受光レベル下限値未満であれば受光レベルは不良であると判定する他の受光レベル良否判定手段（１８）と、
前記光ファイバ回線側の良否を判定する他の制御手段（１９）と、
該他の制御手段および前記他の受光レベル良否判定手段における判定結果と、前記局舎側メディアコンバータから送信されてくる前記判定結果データとに基づいて、前記光ファイバ回線、前記局舎側メディアコンバータおよび前記宅内側メディアコンバータのいずれにおいて障害が発生したかを判定し、該判定の結果を視覚的または聴覚的に障害発生表示手段（２１）に表示させる他の障害発生判定手段（２１）とを備え、
前記他の障害発生判定手段が前記光ファイバ回線、前記局舎側メディアコンバータおよび前記宅内側メディアコンバータのいずれにおいて障害が発生したかを判定できるように、前記受光レベル良否判定用の受光レベル下限値が、前記局舎側および宅内側メディアコンバータにおける受光レベルの上限値から該局舎側および宅内側メディアコンバータにおける光リンクの下限値である受光レベルの下限値を引いた該局舎側および宅内側メディアコンバータの受光範囲の所定の割合の値だけ、該局舎側および宅内側メディアコンバータにおける該受光レベルの下限値よりも大きい値に設定されている、
ことを特徴とする、障害発生表示システム。
【請求項４】
請求項２記載の障害発生表示システムにおいて前記光ファイバ回線、前記局舎側メディアコンバータおよび前記宅内側メディアコンバータのいずれにおいて障害が発生したかを表示する障害発生表示方法であって、
前記宅内側メディアコンバータの前記障害発生判定手段が、前記局舎側メディアコンバータにおける光リンクの良否と、前記宅内側メディアコンバータにおける光リンクの良否と、前記宅内側メディアコンバータにおける受光レベルの良否とに基づいて、前記光ファイバ回線、前記局舎側メディアコンバータおよび前記宅内側メディアコンバータのいずれにおいて障害が発生したかを判定し、該判定の結果を視覚的または聴覚的に障害発生表示手段（２１）に表示させる、
ことを特徴とする、障害発生表示方法。
【請求項５】
前記宅内側メディアコンバータの前記障害発生判定手段が、
前記局舎側メディアコンバータにおける光リンクが良好であり、前記制御手段および前記受光レベル良否判定手段における判定結果が両方とも良好である場合には、前記光ファイバ回線、前記局舎側メディアコンバータおよび前記宅内側メディアコンバータは正常に動作していることを前記障害発生表示手段に表示させ、
前記局舎側メディアコンバータにおける光リンクが良好であり、前記制御手段における判定結果は良好であるが、前記受光レベル良否判定手段における判定結果が不良である場合には、前記光ファイバ回線または前記局舎側メディアコンバータにおいて障害が発生したことを前記障害発生表示手段に表示させ、
前記局舎側メディアコンバータにおける光リンクが不良であり、前記受光レベル良否判定手段における判定結果は良好であるが、前記制御手段における判定結果が不良である場合には、前記宅内側メディアコンバータにおいて障害が発生したことを前記障害発生表示手段に表示させ、
前記局舎側メディアコンバータにおける光リンクが不良であり、前記制御手段および前記受光レベル良否判定手段における判定結果が両方とも不良である場合には、前記光ファイバ回線、前記局舎側メディアコンバータまたは前記宅内側メディアコンバータにおいて障害が発生したことを前記障害発生表示手段に表示させる、
ことを特徴とする、請求項４記載の障害発生表示方法。
【請求項６】
前記障害発生判定手段が、前記局舎側メディアコンバータにおける光リンクは良好であるが前記制御手段における判定結果が不良である場合や、前記局舎側メディアコンバータにおける光リンクは不良であるが前記制御手段における判定結果が良好である場合には、前記局舎側メディアコンバータおよび前記宅内側メディアコンバータのうち光リンクが良好であることを示している方のメディアコンバータが故障しているとして取り扱い、前記局舎側メディアコンバータおよび前記宅内側メディアコンバータのうち故障しているとして取り扱った方のメディアコンバータにおいて障害が発生していることを前記障害発生表示手段に表示させることを特徴とする、請求項５記載の障害発生表示方法。
【請求項７】
前記局舎側メディアコンバータの前記障害発生判定手段が、前記宅内側メディアコンバータに障害が発生していると判定した場合には、連絡先も前記障害発生表示手段に表示させることを特徴とする、請求項４乃至６いずれかに記載の障害発生表示方法。
【請求項８】
請求項３記載の障害発生表示システムにおいて前記光ファイバ回線、前記局舎側メディアコンバータおよび前記宅内側メディアコンバータのいずれにおいて障害が発生したかを表示する障害発生表示方法であって、
前記宅内側メディアコンバータの前記他の障害発生判定手段が、
前記局舎側メディアコンバータの前記制御手段および前記受光レベル良否判定手段における判定結果と、前記宅内側メディアコンバータの前記他の制御手段および前記他の受光レベル良否判定手段における判定結果とに基づいて、前記光ファイバ回線、前記局舎側メディアコンバータおよび前記宅内側メディアコンバータのいずれにおいて障害が発生したかを判定し、該判定の結果を視覚的または聴覚的に障害発生表示手段（２１）に表示させる、
ことを特徴とする、障害発生表示方法。
【請求項９】
前記局舎側メディアコンバータの前記制御手段および前記受光レベル良否判定手段と前記宅内側メディアコンバータの前記他の制御手段および前記他の受光レベル良否判定手段における判定結果がすべて良好である場合には、前記光ファイバ回線、前記局舎側メディアコンバータおよび前記宅内側メディアコンバータは正常に動作していることを前記障害発生表示手段に表示させ、
前記局舎側メディアコンバータの前記制御手段および前記受光レベル良否判定手段と前記宅内側メディアコンバータの前記他の制御手段とにおける判定結果は良好であるが、前記宅内側メディアコンバータの前記他の受光レベル良否判定手段における判定結果が不良である場合には、前記局舎側メディアコンバータにおいて障害が発生していることを前記障害発生表示手段に表示させ、
前記局舎側メディアコンバータの前記制御手段と前記宅内側メディアコンバータの前記他の制御手段および前記他の受光レベル良否判定手段とにおける判定結果は良好であるが、前記局舎側メディアコンバータの前記受光レベル良否判定手段における判定結果が不良である場合には、前記宅内側メディアコンバータにおいて障害が発生していることを前記障害発生表示手段に表示させ、
前記局舎側メディアコンバータの前記制御手段および前記宅内側メディアコンバータの前記他の制御手段における判定結果は良好であるが、前記局舎側メディアコンバータの前記受光レベル良否判定手段および前記宅内側メディアコンバータの前記他の受光レベル良否判定手段における判定結果が不良である場合には、前記光ファイバ回線、または、前記局舎側メディアコンバータおよび前記宅内側メディアコンバータにおいて障害が発生していることを前記障害発生表示手段に表示させ、
前記局舎側メディアコンバータの前記受光レベル良否判定手段および前記宅内側メディアコンバータの前記他の受光レベル良否判定手段における判定結果は良好であるが、前記局舎側メディアコンバータの前記制御手段および前記宅内側メディアコンバータの前記他の制御手段における判定結果が不良である場合には、前記局舎側メディアコンバータまたは前記宅内側メディアコンバータにおいて障害が発生していることを前記障害発生表示手段に表示させ、
前記局舎側メディアコンバータの前記受光レベル良否判定手段における判定結果は良好であるが、前記局舎側メディアコンバータの前記制御手段および前記宅内側メディアコンバータの前記他の制御手段および前記他の受光レベル良否判定手段における判定結果が不良である場合には、前記局舎側メディアコンバータにおいて障害が発生していることを前記障害発生表示手段に表示させ、
前記宅内側メディアコンバータの前記他の受光レベル良否判定手段における判定結果は良好であるが、前記局舎側メディアコンバータの前記制御手段および前記受光レベル良否判定手段と前記宅内側メディアコンバータの前記他の制御手段における判定結果が不良である場合には、前記宅内側メディアコンバータにおいて障害が発生していることを前記障害発生表示手段に表示させ、
前記局舎側メディアコンバータの前記制御手段および前記受光レベル良否判定手段と前記宅内側メディアコンバータの前記他の制御手段および前記他の受光レベル良否判定手段とにおける判定結果がすべて不良である場合には、前記光ファイバ回線において障害が発生していることを前記障害発生表示手段に表示させる、
ことを特徴とする、請求項８記載の障害発生表示方法。
【請求項１０】
前記宅内側メディアコンバータの前記他の障害発生判定手段が、前記局舎側メディアコンバータの前記制御手段および前記宅内側メディアコンバータの前記他の制御手段の一方の制御手段における判定結果は良好であるが他方の制御手段における判定結果が不良である場合には、前記局舎側メディアコンバータおよび前記宅内側メディアコンバータのうち前記制御手段および前記他の制御手段における判定結果が良好である方のメディアコンバータにおいて障害が発生したとして取り扱い、前記局舎側メディアコンバータおよび前記宅内側メディアコンバータのうち故障しているとして取り扱った方のメディアコンバータにおいて障害が発生していることを前記障害発生表示手段に表示させることを特徴とする、請求項９記載の障害発生表示方法。
【請求項１１】
前記宅内側メディアコンバータの前記他の障害発生判定手段が、前記宅内側メディアコンバータに障害が発生していると判定した場合には、連絡先も前記障害発生表示手段に表示させることを特徴とする、請求項８乃至１０いずれかに記載の障害発生表示方法。
【発明の詳細な説明】
【技術分野】
【０００１】
本発明は、メディアコンバータ、障害発生表示システムおよび障害発生表示方法に関し、特に、光ファイバ回線、局舎側メディアコンバータおよび宅内側メディアコンバータのいずれにおいて障害が発生したかを判定するのに好適なメディアコンバータ、障害発生表示システムおよび障害発生表示方法に関する。
【背景技術】
【０００２】
局舎側メディアコンバータと宅内側メディアコンバータとを光ケーブルで相互に接続した光ネットワークでは、光リンクの良／不良を確認するために、光リンク用ランプを局舎側メディアコンバータおよび宅内側メディアコンバータの両方に設けている。たとえば、光リンク用ランプが点灯している場合には、光リンクは良好であり、局舎側メディアコンバータと宅内側メディアコンバータとの間の通信が可であると判断し、一方、光リンク用ランプが消灯している場合には、光リンクは不良であり、局舎側メディアコンバータと宅内側メディアコンバータとの間の通信が不可であると判断している。
【０００３】
また、下記の特許文献１および特許文献２には、光リンク異常を示す保守信号を宅内側メディアコンバータに設けられたＳＮＭＰ（簡易ネットワーク管理プロトコル）エージェントから局舎側メディアコンバータに送信し、保守信号を局舎側メディアコンバータに設けられたＳＮＭＰユニットを介してＳＮＭＰマネージャに渡すことにより、宅内側メディアコンバータに光リンク異常が発生したことを局舎側メディアコンバータに通知することが開示されている。
【特許文献１】特開２００４−１５２１６号公報
【特許文献２】特開２００４−１５２１７号公報
【発明の開示】
【発明が解決しようとする課題】
【０００４】
しかしながら、局舎側メディアコンバータおよび宅内側メディアコンバータに光リンク用ランプを設けたり、宅内側メディアコンバータから局舎側メディアコンバータに保守信号を送信したりしても、局舎側メディアコンバータおよび／または宅内側メディアコンバータに障害が発生したことを顧客（加入者）が気づくのに時間がかかるという問題があった。
【０００５】
本発明の目的は、光ファイバ回線、局舎側メディアコンバータまたは宅内側メディアコンバータにおいて障害が発生したことを顧客が容易に気づくように表示することができるメディアコンバータ、障害発生表示システムおよび障害発生表示方法を提供することにある。
【課題を解決するための手段】
【０００６】
本発明のメディアコンバータは、光ファイバ回線を介して他のメディアコンバータと相互に接続されるメディアコンバータ（１０）であって、前記光ファイバ回線から入力される光信号の受光レベルを検出する光レベル検出手段と、前記検出された受光レベルと受光レベル良否判定用の受光レベル下限値とを比較して、前記検出された受光レベルが受光レベル良否判定用の受光レベル下限値以上であれば受光レベルは良好であると判定し、前記検出された受光レベルが前記受光レベル良否判定用の受光レベル下限値未満であれば受光レベルは不良であると判定する受光レベル良否判定手段（１８）と、前記光ファイバ回線側の光リンクの良否を判定する制御手段（１９）と、該制御手段および前記受光レベル良否判定手段における判定結果と前記他のメディアコンバータから前記光ファイバ回線を介して送信されてくる光リンク良否通知信号によって示される該他のメディアコンバータにおける光リンクの良否とに基づいて前記光ファイバ回線、前記他のメディアコンバータおよび前記メディアコンバータのいずれにおいて障害が発生したかを判定し、該判定の結果を視覚的または聴覚的に障害発生表示手段（２１）に表示させる障害発生判定手段（２０）とを具備し、前記障害発生判定手段が前記光ファイバ回線、前記他のメディアコンバータおよび前記メディアコンバータのいずれにおいて障害が発生したかを判定できるように、前記受光レベル良否判定用の受光レベル下限値が、前記メディアコンバータにおける受光レベルの上限値から該メディアコンバータにおける光リンクの下限値である受光レベルの下限値を引いた該メディアコンバータの受光範囲の所定の割合の値だけ、該メディアコンバータにおける該受光レベルの下限値よりも大きい値に設定されている、
ことを特徴とする。
【０００７】
本発明の第１の障害発生表示システムは、局舎側メディアコンバータ（３１）と、該局舎側メディアコンバータと光ファイバ回線を介して相互に接続された宅内側メディアコンバータ（３２）とを具備する障害発生表示システム（３０）であって、前記宅内側メディアコンバータが、本発明のメディアコンバータを使用して構成されていることを特徴とする。
本発明の第２の障害発生表示システムは、局舎側メディアコンバータ（５１）と、該局舎側メディアコンバータと光ファイバ回線を介して相互に接続された宅内側メディアコンバータ（５２）とを具備する障害発生表示システム（５０）であって、前記局舎側メディアコンバータが、前記光ファイバ回線から入力される光信号の受光レベルを検出する光レベル検出手段（１１６）と、前記光レベル検出手段によって検出された受光レベルと受光レベル良否判定用の受光レベル下限値とを比較して、前記光レベル検出手段によって検出された受光レベルが受光レベル良否判定用の受光レベル下限値以上であれば受光レベルは良好であると判定し、前記光レベル検出手段によって検出された受光レベルが前記受光レベル良否判定用の受光レベル下限値未満であれば受光レベルは不良であると判定する受光レベル良否判定手段（１１８）と、前記光ファイバ回線側の光リンクの良否を判定する制御手段（１１９）と、該制御手段および前記受光レベル良否判定手段における判定結果を表わす判定結果データを前記宅内側メディアコンバータに送信する障害発生判定手段（１２０）とを備え、前記宅内側メディアコンバータが、前記光ファイバ回線から入力される光信号の受光レベルを検出する他の光レベル検出手段（１６）と、前記他の光レベル検出手段によって検出された受光レベルと前記受光レベル良否判定用の受光レベル下限値とを比較して、前記他の光レベル検出手段によって検出された受光レベルが前記受光レベル良否判定用の受光レベル下限値以上であれば受光レベルは良好であると判定し、前記他の光レベル検出手段によって検出された受光レベルが前記受光レベル良否判定用の受光レベル下限値未満であれば受光レベルは不良であると判定する他の受光レベル良否判定手段（１８）と、前記光ファイバ回線側の良否を判定する他の制御手段（１９）と、該他の制御手段および前記他の受光レベル良否判定手段における判定結果と、前記局舎側メディアコンバータから送信されてくる前記判定結果データとに基づいて、前記光ファイバ回線、前記局舎側メディアコンバータおよび前記宅内側メディアコンバータのいずれにおいて障害が発生したかを判定し、該判定の結果を視覚的または聴覚的に障害発生表示手段（２１）に表示させる他の障害発生判定手段（２１）とを備え、前記他の障害発生判定手段が前記光ファイバ回線、前記局舎側メディアコンバータおよび前記宅内側メディアコンバータのいずれにおいて障害が発生したかを判定できるように、前記受光レベル良否判定用の受光レベル下限値が、前記局舎側および宅内側メディアコンバータにおける受光レベルの上限値から該局舎側および宅内側メディアコンバータにおける光リンクの下限値である受光レベルの下限値を引いた該局舎側および宅内側メディアコンバータの受光範囲の所定の割合の値だけ、該局舎側および宅内側メディアコンバータにおける該受光レベルの下限値よりも大きい値に設定されていることを特徴とする。
【０００８】
本発明の第１の障害発生表示方法は、本発明の第１の障害発生表示システムにおいて前記光ファイバ回線、前記局舎側メディアコンバータおよび前記宅内側メディアコンバータのいずれにおいて障害が発生したかを表示する障害発生表示方法であって、前記宅内側メディアコンバータの前記障害発生判定手段が、前記局舎側メディアコンバータにおける光リンクの良否と、前記宅内側メディアコンバータにおける光リンクの良否と、前記宅内側メディアコンバータにおける受光レベルの良否とに基づいて、前記光ファイバ回線、前記局舎側メディアコンバータおよび前記宅内側メディアコンバータのいずれにおいて障害が発生したかを判定し、該判定の結果を視覚的または聴覚的に障害発生表示手段（２１）に表示させることを特徴とする。
ここで、前記宅内側メディアコンバータの前記障害発生判定手段が、前記局舎側メディアコンバータにおける光リンクが良好であり、前記制御手段および前記受光レベル良否判定手段における判定結果が両方とも良好である場合には、前記光ファイバ回線、前記局舎側メディアコンバータおよび前記宅内側メディアコンバータは正常に動作していることを前記障害発生表示手段に表示させ、前記局舎側メディアコンバータにおける光リンクが良好であり、前記制御手段における判定結果は良好であるが、前記受光レベル良否判定手段における判定結果が不良である場合には、前記光ファイバ回線または前記局舎側メディアコンバータにおいて障害が発生したことを前記障害発生表示手段に表示させ、前記局舎側メディアコンバータにおける光リンクが不良であり、前記受光レベル良否判定手段における判定結果は良好であるが、前記制御手段における判定結果が不良である場合には、前記宅内側メディアコンバータにおいて障害が発生したことを前記障害発生表示手段に表示させ、前記局舎側メディアコンバータにおける光リンクが不良であり、前記制御手段および前記受光レベル良否判定手段における判定結果が両方とも不良である場合には、前記光ファイバ回線、前記局舎側メディアコンバータまたは前記宅内側メディアコンバータにおいて障害が発生したことを前記障害発生表示手段に表示させてもよい。
前記障害発生判定手段が、前記局舎側メディアコンバータにおける光リンクは良好であるが前記制御手段における判定結果が不良である場合や、前記局舎側メディアコンバータにおける光リンクは不良であるが前記制御手段における判定結果が良好である場合には、前記局舎側メディアコンバータおよび前記宅内側メディアコンバータのうち光リンクが良好であることを示している方のメディアコンバータが故障しているとして取り扱い、前記局舎側メディアコンバータおよび前記宅内側メディアコンバータのうち故障しているとして取り扱った方のメディアコンバータにおいて障害が発生していることを前記障害発生表示手段に表示させてもよい。
前記局舎側メディアコンバータの前記障害発生判定手段が、前記宅内側メディアコンバータに障害が発生していると判定した場合には、連絡先も前記障害発生表示手段に表示させてもよい。
本発明の第２の障害発生表示方法は、本発明の第２の障害発生表示システムにおいて前記光ファイバ回線、前記局舎側メディアコンバータおよび前記宅内側メディアコンバータのいずれにおいて障害が発生したかを表示する障害発生表示方法であって、前記宅内側メディアコンバータの前記他の障害発生判定手段が、前記局舎側メディアコンバータの前記制御手段および前記受光レベル良否判定手段における判定結果と、前記宅内側メディアコンバータの前記他の制御手段および前記他の受光レベル良否判定手段における判定結果とに基づいて、前記光ファイバ回線、前記局舎側メディアコンバータおよび前記宅内側メディアコンバータのいずれにおいて障害が発生したかを判定し、該判定の結果を視覚的または聴覚的に障害発生表示手段（２１）に表示させることを特徴とする。
ここで、前記局舎側メディアコンバータの前記制御手段および前記受光レベル良否判定手段と前記宅内側メディアコンバータの前記他の制御手段および前記他の受光レベル良否判定手段における判定結果がすべて良好である場合には、前記光ファイバ回線、前記局舎側メディアコンバータおよび前記宅内側メディアコンバータは正常に動作していることを前記障害発生表示手段に表示させ、前記局舎側メディアコンバータの前記制御手段および前記受光レベル良否判定手段と前記宅内側メディアコンバータの前記他の制御手段とにおける判定結果は良好であるが、前記宅内側メディアコンバータの前記他の受光レベル良否判定手段における判定結果が不良である場合には、前記局舎側メディアコンバータにおいて障害が発生していることを前記障害発生表示手段に表示させ、前記局舎側メディアコンバータの前記制御手段と前記宅内側メディアコンバータの前記他の制御手段および前記他の受光レベル良否判定手段とにおける判定結果は良好であるが、前記局舎側メディアコンバータの前記受光レベル良否判定手段における判定結果が不良である場合には、前記宅内側メディアコンバータにおいて障害が発生していることを前記障害発生表示手段に表示させ、前記局舎側メディアコンバータの前記制御手段および前記宅内側メディアコンバータの前記他の制御手段における判定結果は良好であるが、前記局舎側メディアコンバータの前記受光レベル良否判定手段および前記宅内側メディアコンバータの前記他の受光レベル良否判定手段における判定結果が不良である場合には、前記光ファイバ回線、または、前記局舎側メディアコンバータおよび前記宅内側メディアコンバータにおいて障害が発生していることを前記障害発生表示手段に表示させ、前記局舎側メディアコンバータの前記受光レベル良否判定手段および前記宅内側メディアコンバータの前記他の受光レベル良否判定手段における判定結果は良好であるが、前記局舎側メディアコンバータの前記制御手段および前記宅内側メディアコンバータの前記他の制御手段における判定結果が不良である場合には、前記局舎側メディアコンバータまたは前記宅内側メディアコンバータにおいて障害が発生していることを前記障害発生表示手段に表示させ、前記局舎側メディアコンバータの前記受光レベル良否判定手段における判定結果は良好であるが、前記局舎側メディアコンバータの前記制御手段および前記宅内側メディアコンバータの前記他の制御手段および前記他の受光レベル良否判定手段における判定結果が不良である場合には、前記局舎側メディアコンバータにおいて障害が発生していることを前記障害発生表示手段に表示させ、前記宅内側メディアコンバータの前記他の受光レベル良否判定手段における判定結果は良好であるが、前記局舎側メディアコンバータの前記制御手段および前記受光レベル良否判定手段と前記宅内側メディアコンバータの前記他の制御手段における判定結果が不良である場合には、前記宅内側メディアコンバータにおいて障害が発生していることを前記障害発生表示手段に表示させ、前記局舎側メディアコンバータの前記制御手段および前記受光レベル良否判定手段と前記宅内側メディアコンバータの前記他の制御手段および前記他の受光レベル良否判定手段とにおける判定結果がすべて不良である場合には、前記光ファイバ回線において障害が発生していることを前記障害発生表示手段に表示させてもよい。
前記宅内側メディアコンバータの前記他の障害発生判定手段が、前記局舎側メディアコンバータの前記制御手段および前記宅内側メディアコンバータの前記他の制御手段の一方の制御手段における判定結果は良好であるが他方の制御手段における判定結果が不良である場合には、前記局舎側メディアコンバータおよび前記宅内側メディアコンバータのうち前記制御手段および前記他の制御手段における判定結果が良好である方のメディアコンバータにおいて障害が発生したとして取り扱い、前記局舎側メディアコンバータおよび前記宅内側メディアコンバータのうち故障しているとして取り扱った方のメディアコンバータにおいて障害が発生していることを前記障害発生表示手段に表示させてもよい。
前記宅内側メディアコンバータの前記他の障害発生判定手段が、前記宅内側メディアコンバータに障害が発生していると判定した場合には、連絡先も前記障害発生表示手段に表示させてもよい。
【発明の効果】
【０００９】
本発明のメディアコンバータ、障害発生表示システムおよび障害発生表示方法は、光ファイバ回線、局舎側メディアコンバータおよび宅内側メディアコンバータのいずれにおいて障害が発生したかを宅内側メディアコンバータの障害発生表示手段に表示させることができるので、光ファイバ回線、局舎側メディアコンバータまたは宅内側メディアコンバータにおいて障害が発生したことを顧客に容易に気づかせることができるという効果を奏する。
【発明を実施するための最良の形態】
【００１０】
光ファイバ回線、局舎側メディアコンバータまたは宅内側メディアコンバータにおいて障害が発生したことを顧客が容易に気づくように表示するという目的を、宅内側メディアコンバータの光リンクの良否を判定した結果と、受光レベルが光リンク下限値よりも所定の値だけ大きい値に設定された受光レベル下限値以上であるか否かにより宅内側メディアコンバータの受光レベルの良否を判定した結果と、局舎側メディアコンバータにおける光リンクの良否とに基づいて、光ファイバ回線、局舎側メディアコンバータおよび宅内側メディアコンバータのいずれにおいて障害が発生したかを判定した結果を視覚的または聴覚的に障害発生表示手段に表示させることにより実現した。
【実施例１】
【００１１】
以下、本発明のメディアコンバータ、障害発生表示システムおよび障害発生表示方法の実施例について、図面を参照して説明する。
本発明の一実施例によるメディアコンバータ１０は、図１に示すように、ＬＡＮ側送受信部１１と、光ファイバ側送受信部１２と、電気／光変換部（Ｅ／Ｏ変換部）１３と、光／電気変換部（Ｏ／Ｅ変換部）１５と、光レベル検出部１６と、受光レベル良否判定部１８と、制御部１９と、障害発生判定部２０と、障害発生表示部２１と、メモリ２５とを具備する。
【００１２】
ＬＡＮ側送受信部１１は、ＬＡＮ（ローカルエリアネットワーク）を介してメディアコンバータ１０と相互に接続される端末装置などとの間でデータ信号の送受信を行う。
光ファイバ側送受信部１２は、光ファイバ回線を介してメディアコンバータ１０と相互に接続される他のメディアコンバータとの間でデータ信号（他のメディアコンバータにおける光リンクの良否を表わす光リンク良否通知信号を含む。）の送受信を行う。また、光ファイバ側送受信部１２は、他のメディアコンバータからの電気信号の状態（有無や破壊の程度）に基づいて光リンク良否判定用情報（光リンクの良否（良好／不良）の判定に使用される情報）を生成し、生成した光リンク良否判定用情報を制御部１９に出力する。
【００１３】
電気／光変換部１３は、光ファイバ側送受信部１２から入力されるデータ信号（電気信号）を光信号に変換して光ファイバ回線に出力する。
光／電気変換部１５は、光ファイバ回線から入力される光信号をデータ信号（電気信号）に変換して光ファイバ側送受信部１２に出力する。
【００１４】
光レベル検出部１６は、光／電気変換部１５の出力信号に基づいて光ファイバ回線から入力される光信号の受光レベルを検出して、検出した受光レベルを表わす受光レベル信号を受光レベル良否判定部１８に出力する。
【００１５】
受光レベル良否判定部１８は、光レベル検出部１６から入力される受光レベル信号に基づいて受光レベルの良否（良好／不良）を判定する。すなわち、受光レベル良否判定部１８は、受光レベル信号によって表わされる受光レベルが、光リンク下限値よりも所定の値だけ大きい値に設定された受光レベル下限値以上であれば、受光レベルは良好であると判定する。一方、受光レベル信号によって示される受光レベルが受光レベル下限値未満であれば、受光レベルは不良であると判定する。
【００１６】
ここでは、受光レベル下限値は、光リンク下限値よりも、受光範囲の所定の割合の値だけ大きい値に設定される。たとえば、受光レベルの上限値が−１２ｄＢであり、受光レベルの下限値（＝光リンク下限値）が−２８ｄＢである場合には、光リンク下限値よりも、受光範囲（＝−１２ｄＢ−（−２８ｄＢ）＝１６ｄＢ）の１／１０の値（＝１．６ｄＢ）だけ大きい値（＝−２６．４ｄＢ）に設定される。
【００１７】
制御部１９は、光ファイバ側送受信部１２から入力される光リンク良否判定用情報に基づいて光ファイバ回線側の光リンクの良否（良好／不良）を判定する。
また、制御部１９は、ＬＡＮ側送受信部１１、光ファイバ側送受信部１２、電気／光変換部１３、光／電気変換部１４、受光レベル良否判定部１８および障害発生判定部２０の制御を行う。
【００１８】
障害発生判定部２０は、制御部１９および受光レベル良否判定部１８における判定結果と光ファイバ側送受信部１２から制御部１９を介して入力される光リンク良否通知信号とに基づいて、光ファイバ回線、メディアコンバータ１０および他のメディアコンバータのいずれにおいて障害が発生したかを判定し、この判定の結果を視覚的に表示するように障害発生表示部２１を制御する。
障害発生判定部２０は、判定の結果に対応する表示データをメモリ２５から読み出して、読み出した表示データによって表わされる表示を障害発生表示部２１に表示させる。なお、メモリ２５はフラッシュメモリからなり、表示データによって表わされる表示の内容が必要に応じて局側メディアコンバータまたは監視システムなどから変更できるようになっている。ただし、メモリ２５としてＲＯＭを用いてこの表示の内容を固定にしてもよい。
障害発生表示部２１は、ＬＥＤ表示装置や液晶表示装置などから構成されている。
【００１９】
次に、本発明の第１の実施例による障害発生表示システム３０について、図２を参照して説明する。
本実施例による障害発生表示システム３０は、図２に示すように、光リンク用ランプ４１のみを備える従来のメディアコンバータを使用して構成された局舎側メディアコンバータ３１と、局舎側メディアコンバータ３１と光ファイバ回線を介して相互に接続されたかつ図１に示したメディアコンバータ１０を使用して構成された宅内側メディアコンバータ３２とを具備する。なお、局舎側メディアコンバータ３１の光リンク用ランプ４１が点灯しているか消灯しているかを表わす光リンク良否通知信号が、局舎側メディアコンバータ３１から光ファイバ回線を介して宅内側メディアコンバータ３２に送信される。
【００２０】
光ファイバ回線、局舎側メディアコンバータ３１および宅内側メディアコンバータ３２のいずれにおいて障害が発生したかを宅内側メディアコンバータ３２の障害発生表示部２１に表示させるときの障害発生表示システム３０の動作（本発明の第１の実施例による障害表示方法）について、図３を参照して説明する。
【００２１】
図３の（１）に示す場合（すなわち、局舎側メディアコンバータ３１の光リンク用ランプ４１が点灯しており、宅内側メディアコンバータ３２の制御部１９および受光レベル良否判定部１８における判定結果が両方とも良好である場合）には、光ファイバ回線、局舎側メディアコンバータ３１および宅内側メディアコンバータ３２における光リンクは良好であり、かつ、局舎側メディアコンバータ３１から光ファイバ回線を介して宅内側メディアコンバータ３２に入力される光信号の受光レベルは受光レベル下限値以上になっている。したがって、障害発生判定部２０は、光ファイバ回線、局舎側メディアコンバータ３１および宅内側メディアコンバータ３２は正常に動作していると判定し、この判定の結果に対応する表示「正常動作中」を表わす表示データをメモリ２５から読み出したのち、この表示をするように障害発生表示部２１を制御する。
【００２２】
図３の（２）に示す場合（すなわち、局舎側メディアコンバータ３１の光リンク用ランプ４１が点灯しており、宅内側メディアコンバータ３２の制御部１９おける判定結果は良好であるが、受光レベル良否判定部１８における判定結果が不良である場合）には、局舎側メディアコンバータ３１から光ファイバ回線を介して宅内側メディアコンバータ３２に入力される光信号の受光レベルは光リンク下限値と受光レベル下限値との間の値となっているため、光ファイバ回線または局舎側メディアコンバータ３１の故障により受光レベルが低下しているものと考えられる。したがって、障害発生判定部２０は、宅内側メディアコンバータ３２は正常に動作しているが、光ファイバ回線または局舎側メディアコンバータ３１において障害が発生したと判定し、光ファイバ回線または局舎側メディアコンバータ３１における障害の発生を顧客に知らせるために、この判定の結果に対応する表示「光ファイバ回線または局舎側メディアコンバータにおいて障害発生」を表わす表示データをメモリ２５から読み出したのち、この表示をするように障害発生表示部２１を制御する。
【００２３】
図３の（３）〜（６）に示す場合（すなわち、局舎側メディアコンバータ３１の光リンク用ランプ４１は点灯しているが宅内側メディアコンバータ３２の制御部１９おける判定結果が不良である場合や、局舎側メディアコンバータ３１の光リンク用ランプ４１は消灯しているが宅内側メディアコンバータ３２の制御部１９おける判定結果が良好である場合）には、このような組合せは一般的にはあり得ないので、局舎側メディアコンバータ３１および宅内側メディアコンバータ３２のうち光リンクが良好であることを示している方が故障しているとして取り扱う。
したがって、図３の（３）および（４）に示す場合（すなわち、局舎側メディアコンバータ３１の光リンク用ランプ４１が点灯している場合）には、障害発生判定部２０は、光リンクが良好であることを示している局舎側メディアコンバータ３１において障害が発生したとして取り扱い、局舎側メディアコンバータ３１における障害の発生を顧客に知らせるために、この判定の結果に対応する表示「局舎側メディアコンバータにおいて障害発生」を表わす表示データをメモリ２５から読み出したのち、この表示をするように障害発生表示部２１を制御する。
また、図３の（５）および（６）に示す場合（すなわち、宅内側メディアコンバータ３２の制御部１９おける判定結果が良好である場合）には、光リンクが良好であることを示している宅内側メディアコンバータ３２において障害が発生したとして取り扱い、宅内側メディアコンバータ３２における障害の発生と連絡先とを顧客に知らせるために、この判定の結果に対応する表示「障害発生。○○へ連絡をお願いします。」を表わす表示データをメモリ２５から読み出したのち、この表示をするように障害発生表示部２１を制御する。
【００２４】
図３の（７）に示す場合（すなわち、局舎側メディアコンバータ３１の光リンク用ランプ４１は消灯しており、宅内側メディアコンバータ３２の受光レベル良否判定部１８における判定結果は良好であるが、制御部１９おける判定結果は不良である場合）には、局舎側メディアコンバータ３１から光ファイバ回線を介して宅内側メディアコンバータ３２に入力される光信号の受光レベルは受光レベル下限値以上になっているにもかかわらず光リンク異常が生じているので、宅内側メディアコンバータ３２が故障していると考えられる。したがって、この場合には、障害発生判定部２０は、宅内側メディアコンバータ３２において障害が発生したと判定し、宅内側メディアコンバータ３２における障害の発生と連絡先とを顧客に知らせるために、この判定の結果に対応する表示「障害発生。○○へ連絡をお願いします。」を表わす表示データをメモリ２５から読み出したのち、この表示をするように障害発生表示部２１を制御する。
【００２５】
図３の（８）に示す場合（すなわち、局舎側メディアコンバータ３１の光リンク用ランプ４１は消灯しており、宅内側メディアコンバータ３２の制御部１９および受光レベル良否判定部１８における判定結果が両方とも不良である場合）には、光ファイバ回線、局舎側メディアコンバータ３１および宅内側メディアコンバータ３２のいずれかが故障していると考えられる。したがって、この場合には、障害発生判定部２０は、光ファイバ回線、局舎側メディアコンバータ３１または宅内側メディアコンバータ３２において障害が発生したと判定し、光ファイバ回線、局舎側メディアコンバータ３１または宅内側メディアコンバータ３２における障害の発生と連絡先とを顧客に知らせるために、この判定の結果に対応する表示「光ファイバ回線、局舎側メディアコンバータまたは宅内側メディアコンバータにおいて障害発生。○○へ連絡をお願いします。」を表わす表示データをメモリ２５から読み出したのち、この表示をするように障害発生表示部２１を制御する。
【００２６】
次に、本発明の第２の実施例による障害発生表示システム５０について、図４を参照して説明する。
本実施例による障害発生表示システム５０は、図４に示すように、局舎側メディアコンバータ５１と、局舎側メディアコンバータ５１と光ファイバ回線を介して相互に接続された宅内側メディアコンバータ５２とを具備する。
【００２７】
局舎側メディアコンバータ５１は、ＬＡＮ側送受信部１１１と、光ファイバ側送受信部１１２と、電気／光変換部（Ｅ／Ｏ変換部）１１３と、光／電気変換部（Ｏ／Ｅ変換部）１１５と、光レベル検出部１１６と、受光レベル良否判定部１１８と、制御部１１９と、障害発生判定部１２０とを備える。
【００２８】
ここで、ＬＡＮ側送受信部１１１、光ファイバ側送受信部１１２、電気／光変換部１１３、光／電気変換部１１５、光レベル検出部１１６、受光レベル良否判定部１１８および制御部１１９は、図１に示したＬＡＮ側送受信部１１、光ファイバ側送受信部１２、電気／光変換部１３、光／電気変換部１５、光レベル検出部１６、受光レベル良否判定部１８および制御部１９と同様のものである。
【００２９】
障害発生判定部１２０は、制御部１１９および受光レベル良否判定部１１８における判定結果に基づいて光ファイバ回線、局舎側メディアコンバータ５１および宅内側メディアコンバータ５２のいずれにおいて障害が発生したかを判定するとともに、制御部１１９および受光レベル良否判定部１１８における判定結果を表わす判定結果データを生成して、生成した判定結果データを光ファイバ側送受信部１１２に出力する。その結果、判定結果データは、光ファイバ側送受信部１１２から電気／光変換部１１３および光ファイバ回線を介して宅内側メディアコンバータ５２に送信される。
なお、障害発生判定部１２０は、光ファイバ回線、局舎側メディアコンバータ５１および宅内側メディアコンバータ５２のいずれにおいて障害が発生したかを判定した結果を障害発生表示部（不図示）に表示させるようにしてもよい。
【００３０】
宅内側メディアコンバータ５２は、図１に示したメディアコンバータ１０を使用して構成されているが、障害発生判定部２０が、制御部１９および受光レベル良否判定部１８における判定結果と光ファイバ側送受信部１２から入力される局舎側メディアコンバータ５１からの判定結果データとに基づいて光ファイバ回線、局舎側メディアコンバータ５１および宅内側メディアコンバータ５２のいずれにおいて障害が発生したかを判定し、この判定の結果を視覚的に表示するように障害発生表示部２１を制御する点で、図１に示したメディアコンバータ１０と異なっている。
【００３１】
次に、光ファイバ回線、局舎側メディアコンバータ５１および宅内側メディアコンバータ５２のいずれにおいて障害が発生したかを宅内側メディアコンバータ５２の障害発生表示部２１に表示させるときの障害発生表示システム５０の動作（本発明の第２の実施例による障害表示方法）について、図５を参照して説明する。
【００３２】
局舎側メディアコンバータ５１の受光レベル良否判定部１１８は、光レベル検出部１１６から入力される受光レベル信号によって表わされる受光レベルが受光レベル下限値以上であれば、受光レベルは良好であると判定し、受光レベルが受光レベル下限値未満であれば、受光レベルは不良であると判定する。
【００３３】
制御部１１９は、光ファイバ側送受信部１１２から入力される光リンク良否判定用情報に基づいて光ファイバ回線側の光リンクの良否（良好／不良）を判定する。
【００３４】
障害発生判定部１２０は、制御部１１９および受光レベル良否判定部１１８における判定結果に基づいて光ファイバ回線、局舎側メディアコンバータ５１および宅内側メディアコンバータ５２のいずれにおいて障害が発生したかを判定するとともに、制御部１１９および受光レベル良否判定部１１８における判定結果を表わす判定結果データを生成して、生成した判定結果データを宅内側メディアコンバータ５２に光ファイバ側送受信部１１２を介して送信する。
【００３５】
宅内側メディアコンバータ５２の受光レベル良否判定部１８は、光レベル検出部１６から入力される受光レベル信号によって表わされる受光レベルが受光レベル下限値以上であれば、受光レベルは良好であると判定し、受光レベルが受光レベル下限値未満であれば、受光レベルは不良であると判定する。
【００３６】
制御部１９は、光ファイバ側送受信部１２から入力される光リンク良否判定用情報に基づいて光ファイバ回線側の光リンクの良否（良好／不良）を判定する。
【００３７】
障害発生判定部２０は、制御部１９および受光レベル良否判定部１８における判定結果と局舎側メディアコンバータ５１からの判定結果データとに基づいて光ファイバ回線、局舎側メディアコンバータ５１および宅内側メディアコンバータ５２のいずれにおいて障害が発生したかを判定し、この判定の結果を視覚的に表示するように障害発生表示部２１を制御する。
【００３８】
すなわち、図５の（１）に示す場合（すなわち、局舎側メディアコンバータ５１の制御部１１９および受光レベル良否判定部１１８と宅内側メディアコンバータ５２の制御部１９および受光レベル良否判定部１８とにおける判定結果がすべて良好である場合）には、光ファイバ回線、局舎側メディアコンバータ５１および宅内側メディアコンバータ５２における光リンクは良好であり、かつ、局舎側メディアコンバータ５１から光ファイバ回線を介して宅内側メディアコンバータ５２に入力される光信号の受光レベルと宅内側メディアコンバータ５２から光ファイバ回線を介して局舎側メディアコンバータ５１に入力される光信号の受光レベルとは両方とも、受光レベル下限値以上になっている。したがって、障害発生判定部２０は、光ファイバ回線、局舎側メディアコンバータ５１および宅内側メディアコンバータ５２は正常に動作していると判定し、この判定の結果に対応する表示「正常動作中」を表わす表示データをメモリ２５から読み出したのち、この表示をするように障害発生表示部２１を制御する。
【００３９】
図５の（２）に示す場合（すなわち、局舎側メディアコンバータ５１の制御部１１９および受光レベル良否判定部１１８と宅内側メディアコンバータ５２の制御部１９とにおける判定結果は良好であるが、宅内側メディアコンバータ５２の受光レベル良否判定部１８における判定結果が不良である場合）には、宅内側メディアコンバータ５２から光ファイバ回線を介して局舎側メディアコンバータ５１に入力される光信号の受光レベルは受光レベル下限値以上になっているにもかかわらず、局舎側メディアコンバータ５１から光ファイバ回線を介して宅内側メディアコンバータ５２に入力される光信号の受光レベルは光リンク下限値と受光レベル下限値との間の値となっているため、局舎側メディアコンバータ５１の故障により後者の受光レベルが低下しているものと考えられる。したがって、障害発生判定部２０は、光ファイバ回線および宅内側メディアコンバータ５２は正常に動作しているが、局舎側メディアコンバータ５１において障害が発生したと判定し、局舎側メディアコンバータ５１における障害の発生を顧客に知らせるために、この判定の結果に対応する表示「局舎側メディアコンバータに障害発生」を表わす表示データをメモリ２５から読み出したのち、この表示をするように障害発生表示部２１を制御する。
【００４０】
図５の（５）に示す場合（すなわち、局舎側メディアコンバータ５１の制御部１１９と宅内側メディアコンバータ５２の制御部１９および受光レベル良否判定部１８とにおける判定結果は良好であるが、局舎側メディアコンバータ５１の受光レベル良否判定部１１８における判定結果が不良である場合）には、局舎側メディアコンバータ５１から光ファイバ回線を介して宅内側メディアコンバータ５２に入力される光信号の受光レベルは受光レベル下限値以上になっているにもかかわらず、宅内側メディアコンバータ５２から光ファイバ回線を介して局舎側メディアコンバータ５１に入力される光信号の受光レベルは光リンク下限値と受光レベル下限値との間の値となっているため、宅内側メディアコンバータ５２の故障により後者の受光レベルが低下しているものと考えられる。したがって、障害発生判定部２０は、光ファイバ回線および局舎側メディアコンバータ５１は正常に動作しているが、宅内側メディアコンバータ５２において障害が発生したと判定し、宅内側メディアコンバータ５２における障害の発生と連絡先とを顧客に知らせるために、この判定の結果に対応する表示「障害発生。○○へ連絡をお願いします。」を表わす表示データをメモリ２５から読み出したのち、この表示をするように障害発生表示部２１を制御する。
【００４１】
図５の（６）に示す場合（すなわち、局舎側メディアコンバータ５１の制御部１１９および宅内側メディアコンバータ５２の制御部１９における判定結果は良好であるが、局舎側メディアコンバータ５１の受光レベル良否判定部１１８および宅内側メディアコンバータ５２の受光レベル良否判定部１８における判定結果が不良である場合）には、局舎側メディアコンバータ５１から光ファイバ回線を介して宅内側メディアコンバータ５２に入力される光信号の受光レベルと、宅内側メディアコンバータ５２から光ファイバ回線を介して局舎側メディアコンバータ５１に入力される光信号の受光レベルとは両方とも、光リンク下限値と受光レベル下限値との間の値となっているため、光ファイバ回線の故障により両者の受光レベルが低下しているものとまずは考えられる。ただし、稀ではあるが局舎側メディアコンバータ５１および宅内側メディアコンバータ５２がともに故障して両者の受光レベルが低下しているものとも考えられる。したがって、障害発生判定部２０は、光ファイバ回線、または、局舎側メディアコンバータ５１および宅内側メディアコンバータ５２において障害が発生したと判定し、光ファイバ回線、または、局舎側メディアコンバータ５１および宅内側メディアコンバータ５２における障害の発生と連絡先とを顧客に知らせるために、この判定の結果に対応する表示「光ファイバ回線、または、局舎側メディアコンバータおよび宅内側メディアコンバータにおいて障害発生。○○へ連絡をお願いします。」を表わす表示データをメモリ２５から読み出したのち、この表示をするように障害発生表示部２１を制御する。
【００４２】
図５の（１１）に示す場合（すなわち、局舎側メディアコンバータ５１の受光レベル良否判定部１１８および宅内側メディアコンバータ５２の受光レベル良否判定部１８における判定結果は良好であるが、局舎側メディアコンバータ５１の制御部１１９および宅内側メディアコンバータ５２の制御部１９における判定結果が不良である場合）には、局舎側メディアコンバータ５１から光ファイバ回線を介して宅内側メディアコンバータ５２に入力される光信号の受光レベルと宅内側メディアコンバータ５２から光ファイバ回線を介して局舎側メディアコンバータ５１に入力される光信号の受光レベルとは両方とも受光レベル下限値以上になっているにもかかわらず局舎側メディアコンバータ５１および宅内側メディアコンバータ５２において光リンク異常が生じているので、局舎側メディアコンバータ５１または宅内側メディアコンバータ５２が故障していると考えられる。したがって、障害発生判定部２０は、局舎側メディアコンバータ５１または宅内側メディアコンバータ５２において障害が発生したと判定し、局舎側メディアコンバータ５１または宅内側メディアコンバータ５２における障害の発生と連絡先とを顧客に知らせるために、この判定の結果に対応する表示「局舎側メディアコンバータまたは宅内側メディアコンバータにおいて障害発生。○○へ連絡をお願いします。」を表わす表示データをメモリ２５から読み出したのち、この表示をするように障害発生表示部２１を制御する。
【００４３】
図５の（１２）に示す場合（すなわち、局舎側メディアコンバータ５１の受光レベル良否判定部１１８における判定結果は良好であるが、局舎側メディアコンバータ５１の制御部１１９および宅内側メディアコンバータ５２の制御部１９および受光レベル良否判定部１８における判定結果が不良である場合）には、宅内側メディアコンバータ５２から光ファイバ回線を介して局舎側メディアコンバータ５１に入力される光信号の受光レベルは受光レベル下限値以上になっているにもかかわらず局舎側メディアコンバータ５１において光リンク異常が発生しているので、局舎側メディアコンバータ５１が故障していると考えられる。したがって、障害発生判定部２０は、局舎側メディアコンバータ５１において障害が発生したと判定し、局舎側メディアコンバータ５１における障害の発生を顧客に知らせるために、この判定の結果に対応する表示「局舎側メディアコンバータにおいて障害発生」を表わす表示データをメモリ２５から読み出したのち、この表示をするように障害発生表示部２１を制御する。
【００４４】
図５の（１５）の場合（すなわち、宅内側メディアコンバータ５２の受光レベル良否判定部１８における判定結果は良好であるが、局舎側メディアコンバータ５１の制御部１１９および受光レベル良否判定部１１８と宅内側メディアコンバータ５２の制御部１９における判定結果が不良である場合）には、局舎側メディアコンバータ５１から光ファイバ回線を介して宅内側メディアコンバータ５２に入力される光信号の受光レベルは受光レベル下限値以上になっているにもかかわらず宅内側メディアコンバータ５２において光リンク異常が生じているので、宅内側メディアコンバータ５２が故障していると考えられる。したがって、この場合には、障害発生判定部２０は、宅内側メディアコンバータ５２において障害が発生したと判定し、宅内側メディアコンバータ５２における障害の発生と連絡先とを顧客に知らせるために、この判定の結果に対応する表示「障害発生。○○へ連絡をお願いします。」を表わす表示データをメモリ２５から読み出したのち、この表示をするように障害発生表示部２１を制御する。
【００４５】
図５の（１６）に示す場合（すなわち、局舎側メディアコンバータ５１の制御部１１９および受光レベル良否判定部１１８と宅内側メディアコンバータ５２の制御部１９および受光レベル良否判定部１８とにおける判定結果がすべて不良である場合）には、局舎側メディアコンバータ５１から光ファイバ回線を介して宅内側メディアコンバータ５２に入力される光信号の受光レベルおよび宅内側メディアコンバータ５２から光ファイバ回線を介して局舎側メディアコンバータ５１に入力される光信号の受光レベルは両方とも光リンク下限値未満になっているので、光ファイバ回線が故障していると考えられる。したがって、障害発生判定部２０は、光ファイバ回線において障害が発生したと判定し、光ファイバ回線における障害の発生を顧客に知らせるために、この判定の結果に対応する表示「光ファイバ回線において障害発生」を表わす表示データをメモリ２５から読み出したのち、この表示をするように障害発生表示部２１を制御する。
【００４６】
図５の（３），（４），（７）〜（１０），（１３）および（１４）に示す場合（すなわち、局舎側メディアコンバータ５１の制御部１１９および宅内側メディアコンバータ５２の制御部１９の一方における判定結果は良好であるが他方における判定結果が不良である場合）には、このような組合せは一般的にはあり得ないので、局舎側メディアコンバータ５１および宅内側メディアコンバータ５２のうち制御部１９，１１９における判定結果が良好である方が故障しているとして取り扱う。
したがって、図５の（３），（４），（７）および（８）の場合（すなわち、局舎側メディアコンバータ５１の制御部１１９における判定結果は良好であるが、宅内側メディアコンバータ５２の制御部１９における判定結果が不良である場合）には、障害発生判定部２０は、局舎側メディアコンバータ５１において障害が発生したとして取り扱い、局舎側メディアコンバータ５１における障害の発生を顧客に知らせるために、この判定の結果に対応する表示「局舎側メディアコンバータにおいて障害発生」を表わす表示データをメモリ２５から読み出したのち、この表示をするように障害発生表示部２１を制御する。
また、図５の（９），（１０），（１３）および（１４）の場合（すなわち、宅内側メディアコンバータ５２の制御部１９における判定結果は良好であるが、局舎側メディアコンバータ５１の制御部１１９における判定結果が不良である場合）には、障害発生判定部２０は、宅内側メディアコンバータ５２において障害が発生したとして取り扱い、宅内側メディアコンバータ５２における障害の発生と連絡先とを顧客に知らせるために、この判定の結果に対応する表示「障害発生。○○へ連絡をお願いします。」を表わす表示データをメモリ２５から読み出したのち、この表示をするように障害発生表示部２１を制御する。
【００４７】
なお、図５の（８）の場合には、光ファイバ回線が故障したとも考えられるので、障害発生判定部２０は、光ファイバ回線において障害が発生した可能性もあるとして取り扱い、光ファイバ回線または局舎側メディアコンバータにおける障害の発生を顧客に知らせるために、図５に示すように、この判定の結果に対応する表示「光ファイバ回線または局舎側メディアコンバータにおいて障害発生」を表わす表示データをメモリ２５から読み出したのち、この表示をするように障害発生表示部２１を制御してもよい。
同様に、図５の（１４）の場合には、光ファイバ回線が故障したとも考えられるので、障害発生判定部２０は、光ファイバ回線において障害が発生した可能性もあるとして取り扱い、光ファイバ回線または宅内側メディアコンバータにおける障害の発生を顧客に知らせるために、図５に示すように、この判定の結果に対応する表示「光ファイバ回線または宅内側メディアコンバータにおいて障害発生。○○へ連絡をお願いします。」を表わす表示データをメモリ２５から読み出したのち、この表示をするように障害発生表示部２１を制御してもよい。
【００４８】
また、障害発生判定部２０は、図５の（２）〜（４），（７），（８），（１２）および（１６）に示したように光ファイバ回線または局舎側メディアコンバータ５１において故障が発生したと判定した場合には、この判定の結果に対応する表示「現在ネットワーク故障中です。しばらくお待ちください。」を表わす表示データをメモリ２５から読み出したのち、この表示をするように障害発生表示部２１を制御してもよい。この場合には、局舎側メディアコンバータ５１に光ファイバ回線を介して相互に接続されているすべての宅内側メディアコンバータの障害発生表示部に、「現在ネットワーク故障中です。しばらくお待ちください。」という同じ表示が表示される。
【００４９】
以上の説明においては、障害発生判定部２０は、判定結果を視覚的に表示するように障害発生表示部２１を制御したが、判定結果を聴覚的に表示するために、障害発生表示部２１の代わりに障害発生音発生部を設けて、障害発生音や警報音（ビープ音など）を発生するように障害発生音発生部を制御してもよい。
【００５０】
また、光／電気変換部１５の出力信号に基づいて光レベル検出部１６により受光レベルを検出したが、以下に示すようにして受光レベルを検出してもよい。
（１）図６に示すように、光ファイバ回線と光／電気変換部１５との間に２分岐カプラ６１（たとえば、光レベル比率が１０：１のもの）を設けるとともに、２分岐カプラ６１によって分岐された光の一方（たとえば、光レベルが１／１０の光）が入力される光センサ６２を設けて、光センサ６２の出力信号に基づいて光レベル検出部１６により受光レベルを検出する。
（２）電気／光変換部１３と光ファイバ回線との間にも他の２分岐カプラを設けるとともに、他の２分岐カプラによって分岐された光の一方（光レベル比率が小さい方の光）が入力される他の光センサを設けて、送信側の光レベルも検出する。
【００５１】
さらに、光ファイバ回線、局舎側メディアコンバータ３１，５１または宅内側メディアコンバータ３２，５２において障害が発生している場合に、宅内側メディアコンバータ３２，５２のＬＡＮ側送受信部１１にＬＡＮを介して相互に接続されたパーソナル・コンピュータ（ＰＣ）から接続依頼がきた場合には、上述した視覚的な表示をパーソナル・コンピュータのＷｅｂ画面上に表示するようにしてもよい。
【００５２】
さらに、ＳＮＭＰを利用して局舎側メディアコンバータ３１，５１の故障を宅内側メディアコンバータ３２，５２に通知し、たとえば「現在ネットワーク故障中です。しばらくお待ちください。」の表示を障害発生判定部２０によって障害発生表示部２１に表示させるようにしてもよい。
【産業上の利用可能性】
【００５３】
以上説明したように、本発明のメディアコンバータ、障害発生表示システムおよび障害発生表示方法は、光ファイバ回線、局舎側メディアコンバータおよび宅内側メディアコンバータのいずれにおいて障害が発生したかを判定するのに利用することができる。
【図面の簡単な説明】
【００５４】
【図１】本発明の一実施例によるメディアコンバータの構成を示すブロック図である。
【図２】本発明の第１の実施例による障害発生表示システムの構成を示す図である。
【図３】図２に示した障害発生表示システム３０における障害発生表示部２１の表示内容を示す図である。
【図４】本発明の第２の実施例による障害発生表示システムの構成を示す図である。
【図５】図２に示した障害発生表示システム５０における障害発生表示部２１の表示内容を示す図である。
【図６】本発明のメディアコンバータにおける受光レベルの他の検出方法を説明するための図である。
【符号の説明】
【００５５】
１０  メディアコンバータ
１１，１１１  ＬＡＮ側送受信部
１２，１１２  光ファイバ側送受信部
１３，１１３  電気／光変換部（Ｅ／Ｏ変換部）
１５，１１５  光／電気変換部（Ｏ／Ｅ変換部）
１６，１１６  光レベル検出部
１８，１１８  受光レベル良否判定部
１９，１１９  制御部
２０，１２０  障害発生判定部
２１  障害発生表示部
２５  メモリ
３０，５０  障害発生表示システム
３１，５１  局舎側メディアコンバータ
３２，５２  宅内側メディアコンバータ
６１  ２分岐カプラ
６２  光センサ
【図１】
0004679304.tif 000002
【図２】
0004679304.tif 000003
【図３】
0004679304.tif 000004
【図４】
0004679304.tif 000005
【図５】
0004679304.tif 000006
【図６】
0004679304.tif 000007